(57)【要約】【課題】容器を押してスライドさせることにより新設の容器を既設の容器の上に容易に段積みでき、また、容器を引っ張ってスライドさせることにより段積みを容易に解除することができる、容器の天板を提供する。【解決手段】複数の同型の容器１を縦に積み重ねることができ、該容器１の天板２表面に設けられた膨出部２ａと該容器の底板３裏面に設けられた凹窩部３ａが嵌合可能に形成され、前記膨出部２ａが天板２の外周部の方向に向かって下降する斜面部２ｂを含む容器の天板２である。【選択図】図１
0003205775.tif 000002
【実用新案登録請求の範囲】
【請求項１】
複数の同型の容器を縦に積み重ねることができ、該容器の天板表面に設けられた膨出部と該容器の底板裏面に設けられた凹窩部が嵌合可能に形成され、
前記膨出部が天板の外周部の方向に向かって下降する斜面部を含むことを特徴とする容器の天板。
【請求項２】
容器が複数の引き出しユニットを含むことを特徴とする請求項１に記載の天板。
【請求項３】
天板表面に設けられた膨出部が天板の中央部に形成され、該膨出部の引き出しユニットを引き出す前側とは反対側の後側に、斜面部が設けられていることを特徴とする請求項１又は２に記載の天板。
【請求項４】
膨出部の前側の外周部に、前ずれ防止部が突設されていることを特徴とする請求項１〜３のいずれかに記載の天板。
【請求項５】
前ずれ防止部が後側に向かって下降する斜面部を含むことを特徴とする請求項４記載の天板。
【請求項６】
膨出部の斜面部の斜面の傾斜角度が４０〜８０°であることを特徴とする請求項１〜５のいずれかに記載の天板。
【考案の詳細な説明】
【技術分野】
【０００１】
本考案は、逐次増加する書類や試料等を収納するための容器の天板に係り、特に、新たに増設する容器を既設の容器の上に容易に段積みし、また容易に取り外すことができる容器の天板に関する。
【背景技術】
【０００２】
一般に、継続的に事業を行う場合、業務のたびに書類等が増加し蓄積するので、その膨大な書類等の保管が問題となることが多い。特に病院などでは、カルテや病理検体など、長期保存の必要がある書類や試料が多いため、それらの保管に必要なスペースは増大する一方である。
このような状況に対応するため、新しい書類や試料を保管するための新しい容器を既設の容器の上に段積みできる容器が用いられている。このような容器Ｐは、例えば図７に示すように、上部には天板Ｐ１及び下部には底板Ｐ３を備え、下側容器ＰL の天板Ｐ１の表面に設けられた膨出部Ｐ２と上側容器Ｐu の底板Ｐ３裏面に設けられた凹窩部Ｐ４が嵌合可能に形成された構造になっている。
【考案の概要】
【考案が解決しようとする課題】
【０００３】
しかしながら、図７及び図８に示した従来の容器を段積みする場合、上側容器Ｐu を下側容器ＰL の上に配し、下側容器ＰL の天板Ｐ１の表面に設けられた膨出部Ｐ２と上側容器Ｐu の底板Ｐ３の裏面に設けられた凹窩部Ｐ４が嵌合する位置関係を見定めてから上側容器Ｐu を下方に降ろして膨出部Ｐ２と凹窩部Ｐ４とを嵌合させる必要があるが、少しでも膨出部Ｐ２と凹窩部Ｐ４との位置関係がずれると嵌合せず段積みできないという問題がある。また、一旦嵌合した膨出部Ｐ２と凹窩部Ｐ４とを取り外す場合は、上側容器Ｐu を真上に持ち上げて嵌合を解除する必要がある。
特に、図７に示した容器のように、複数の引き出しユニット４を有する場合には、容器の重量が大きくなるので、上側容器Ｐu を持ち上げ底板Ｐ３の凹窩部Ｐ４と下側容器ＰL の天板Ｐ１の膨出部Ｐ２とを嵌合させたり、又は、上側容器Ｐu を持ち上げて嵌合を解除して取り外す作業は至難である。
また、このような容器は、通常、後側が壁面に接するようにして多数並設されることが多く、このような場合には、容器の後側に廻って取り外す作業が不可能なため、予め並設された容器を移動させて後側に廻るためのスペースを確保してから作業を行い、作業終了後には容器を再び元の状態に移動させねばならず甚だ面倒である。尚、図７、図８中、Ｐ５は引き出しユニットである。
【０００４】
本考案はかかる実情に鑑み、上記従来技術の問題点を解消し、容器を持ち上げたり、降ろしたりする必要がなく、前側又は後側にスライドさせることにより、簡単に膨出部と凹窩部を嵌合させて段積みでき、また嵌合を解除して取り外すことができる容器の天板を提供することを目的とする。
【課題を解決するための手段】
【０００５】
上記目的を達成するために、本考案の特徴は、複数の同型の容器を縦に積み重ねることができ、該容器の天板表面に設けられた膨出部と該容器の底板裏面に設けられた凹窩部が嵌合可能に形成され、前記膨出部が天板の外周部の方向に向かって下降する斜面部を含む天板を内容とする。
【０００６】
本考案の別の特徴は、容器が複数の引き出しユニットを含む上記の天板を内容とする。
【０００７】
本考案のさらに別の特徴は、天板表面に設けられた膨出部が天板の中央部に形成され、該膨出部の引き出しユニットを引き出す前側とは反対側の後側に、斜面部が設けられている上記の天板を内容とする。
【０００８】
本考案のさらに別の特徴は、膨出部の前側の外周部に、前ずれ防止部が突設されている上記の天板を内容とする。
【０００９】
本考案のさらに別の特徴は、前ずれ防止部が後側に向かって下降する斜面部を含む上記の天板を内容とする。
【００１０】
本考案のさらに別の特徴は、膨出部の斜面部の斜面の傾斜角度が４０〜８０°である上記の天板を内容とする。
【考案の効果】
【００１１】
本考案による容器の天板は、段積みのための膨出部は天板の外周部の方向に向かって下降する斜面部を含むため、上側容器を下側容器の上に載せて後方に押してスライドさせることにより上側容器の底板裏面の凹窩部と下側容器の天板表面の膨出部とを嵌合させ段積みすることができる。また、嵌合を解除して取り外したい場合には、上側容器を前方に引っ張ってスライドさせればよい。従って、従来のように、容器を持ち上げたり、降ろしたり、また、降ろす位置関係を調整したりする必要ないため、重量の大きい容器であっても段積みしたり、段積みを解除することが極めて容易である。
また、容器の設置状態に応じて、段積みや取り外しがし易い方向を前側として、容器の前方で段積みしたり、取り外すことが可能であるため、容器の後方に廻ったり、予め後方に廻るためのスペースを作り、作業後に元に戻すといった面倒な作業が不要である。
更に、膨出部の前側の外周部に、前ずれ防止部を突設することにより、段積みした容器の不用意な前方へのずれを防止することができる。
【図面の簡単な説明】
【００１２】
【図１】図１は本考案による天板を装着した容器を示す側面図である。
【図２】図２は図１の天板の平面図である。
【図３】図３（ａ）は容器を段積みする状態、（ｂ）は段積みした状態、（ｃ）は段積みを解除し取り外す状態をそれぞれ示す概略図である。
【図４】図４は本考案の他の天板を装着した容器を示す側面図である。
【図５】図５は図４の天板の平面図である。
【図６】図６（ａ）は図４、図５の天板を装着した容器の上に別の容器を段積みした状態を示す概略図であり、（ｂ）、（ｃ）はそれぞれ前ずれ防止部の別例を示す側面図である。
【図７】図７は従来の容器を段積みする直前の状態を示す概略図である。
【図８】図８は従来の容器の段積みした状態を示す概略図である。
【考案を実施するための形態】
【００１３】
本考案の容器の天板は、複数の同型の容器を縦に積み重ねることができ、該容器の天板表面に設けられた膨出部と該容器の底板裏面に設けられた凹窩部が嵌合可能に形成され、前記膨出部が天板の外周部の方向に向かって下降する斜面部を含むことを特徴とする。
【００１４】
以下の説明において、本考案における前後方向は、容器に収容する内容物を出し入れする方向に基づいて定められ、内容物を取り出す方向を前側、その反対方向を後側としている。容器が引き出し式の場合は、引き出しユニットを引き出す方向が前側であり、その反対の収容方向が後側である。
しかしながら、これに限られず、容器の設置された状況により、上側容器を引っ張ってスライドさせ容器の段積みを取り外す方向を前側とし、その反対方向で容器を押してスライドさせ容器を段積みする方向を後側とすることができる。
【００１５】
本考案の天板は、複数の同型の容器１を縦に積み重ねるためのものであり、図１に示すように、該天板２の表面には膨出部２ａが設けられている。該膨出部２ａは容器１の底板３の裏面に設けられた凹窩部３ａと嵌合可能に形成されている。本考案は、前記膨出部２ａが天板２の外周部の方向に向かって下降する斜面部２ｂを含むことを特徴とする。
【００１６】
本考案の天板２は、容器１の上端部分として用いる部材である。容器１の種類は特に限定されないが、典型的には図１に示すような複数の引き出しユニット４を有する多段引き出し式の容器が例示できる。
【００１７】
本考案においては、膨出部２ａが天板２の外周部の方向に向かって下降する斜面部２ｂを含む。図１に示す例では、膨出部２ａは略矩形状からなっている。
斜面部２ｂの位置は膨出部２ａの前後左右のいずれの側でもよく特に限定されないが、膨出部２ａが天板の中央部に形成されている場合、斜面部２ｂを膨出部２ａの後側に設けるのが好ましい。このように斜面部２ｂを設けることにより、容器を前側から引っ張ってスライドさせることにより、容器の段積みを簡単に取り外すことができる。
【００１８】
図１に記載された容器に使用されている天板２では、斜面部２ｂは膨出部２ａの後側に設けられている。このように、膨出部２ａの後側が斜面部２ｂとなっている場合、図３（ａ）に示すように、上側容器１U の底板３の裏面の凹窩部３ａを形成する後壁部３ｂを下側容器１L の天板２の表面の膨出部２ａ上に載せ、矢示する後方に押してスライドさせることにより、図３（ｂ）に示すように、凹窩部３ａと膨出部２ａとが嵌合して段積み状態となる。
次に、段積み状態を解除する場合は、図３（ｃ）に示すように、上側容器１U を矢示する前方に引っ張ってスライドさせることにより、上側容器１u の底板３の凹窩部３ａは、該凹窩部３ａを形成する後壁部３ｂが下側容器１L の天板２の膨出部２ａの斜面部２ｂに乗り上げ、その後斜面部２ｂを乗り越えて膨出部２ａの水平面上を、そのまま前側に引っ張ることにより、凹窩部３ａと膨出部２ａとの嵌合が解除され、上側容器１U が下側容器１L から取り外される。
【００１９】
本考案において、斜面部２ｂ角度は、前側に引っ張ることにより凹窩部３ａと膨出部２ａとの係合を解除でき、積み上げた容器の取り外しが容易になる角度であれば特に限定されないが、スライドさせることにより段積みや段積みの取り外しができ、また、不用意に、又は、地震等により横ずれし難い点から、２０°〜８０°程度が適当で、好ましくは２５°〜６０°、より好ましくは３０°〜５０°である。
また、斜面部２ｂは、斜面が直線状の形状に限られず、例えば、なめらかな円弧状に膨出した形状でも、なめらかな円弧状に凹んだ形状であってもよい。
本考案の天板の膨出部２ａにおいて、斜面部２ｂを除く他の側については直角状に形成するのが好ましい。このようにすれば、例えば、地震等による後側方向への揺れや両側の左右方向の揺れに対して抵抗が大きくなり、容器のずれが生じ難くなる。
【００２０】
上記の如く、膨出部２ａの後側に斜面部２ｂを設けた場合、前側から後側に向かって段積みする容器を押してスライドさせるだけで上側容器Ｐu と下側容器ＰL を嵌合させて段積みすることができ、また後側から前側に引っ張ってスライドさせるだけで、上側容器をＰu を下側容器ＰL から取り外すことができるので、段積み又はその取り外しが容易である。反面、前向きの荷重が加わると、上側容器が不用意に外れ、不安定な状態になることもあり得る。このような不都合を防ぐためには、図４、図５に示すような、前ずれ防止部２ｃを設けることができる。
【００２１】
図４及び図５に示すように、前ずれ防止部２ｃは膨出部２ａの前側の外周部に設けるのが好ましい。図６（ａ）に示すように、前ずれ防止部２ｃは上側に段積みした容器１U の底板３の凹窩部３ａを形成する前壁部３ｃと係合することにより、上側容器１U が下側容器１L から前方にずれないように係止する。
【００２２】
前ずれ防止部２ｃが設けられた容器１から、段積みされた上側容器１u を取り外すには、まず、上側容器１u の前端を持ち上げて前ずれ防止部２ｃと凹窩部３ａを形成する前壁部３ｃとの係合を解いてから、上側容器１u を前側に引っ張って下側容器１L の膨出部２ａ上をスライドさせればよい。
【００２３】
前ずれ防止部２ｃの形状は、段積みした上側容器１u の凹窩部３ａを形成する前壁部３ｃの全部又は一部と係合する限り特に限定されないが、図６（ｂ）、（ｃ）に示すように、後側に向かって下降する斜面部２ｄを含む形状とすることもできる。
前ずれ防止部２ｃが斜面部２ｄを含む場合、上側容器１u を下側容器１L から取り外す際に、上側容器１U の凹窩部３ａを形成する後壁部３ｂを前ずれ防止部２ｃの斜面部２ｄに乗せて前側に引っ張ってスライドさせればよいので、特に重量の大きい容器であっても容易に取り外しできる利点がある。
【００２４】
本考案において、容器１の材質は、収納した書類等を保護するのに十分な強度及び剛性を備えている限り特に限定されず、例えば木材、金属、樹脂等を用いることができるが、軽量で加工性がよく、十分な強度を備えている点で、樹脂が好ましい。樹脂としては特に限定されないが、具体的には、ＡＢＳ樹脂、ＡＥＳ樹脂、ポリプロピレン等のポリオレフィン樹脂、ポリ塩化ビニル樹脂、ポリアセタール樹脂、フッ素樹脂、ポリカーボネート樹脂、ポリアミド（ナイロン）樹脂、ポリエステル樹脂等が挙げられる。また、ポリ乳酸樹脂、ポリブチレンサクシネート、ポリアミド１１、ポリヒドロキシ酪酸等の環境に優しい生分解性プラスチックやバイオマスプラスチック等も使用可能である。
【産業上の利用可能性】
【００２５】
叙上のとおり、本考案の容器の天板によれば、当該天板が装着された容器を前側から後側に押してスライドさせることにより容易に段積みすることができ、また、段積みされた容器を後側から前側に引っ張ってスライドさせることにより容易に取り外すことができるので、上方に持ち上げたり、下方に降ろす必要がなく、また、上側容器と下側容器とが嵌合するように位置関係を調整する必要もない。従って、重量の大きい容器であっても容易に段積みしたり、取り外すことができる。。
また、段積みや取り外しがし易い方向を前側とすればよいので、予め段積みや取り外しの作業のためのスペースを確保したり、作業後に元の状態に戻す煩雑な手間も不要で、その有用性は極めて大である。
【符号の説明】
【００２６】
１  容器
１U   上側容器
１L   下側容器
２  天板
２ａ  膨出部
２ｂ  斜面部
２ｃ  前ずれ防止部
２ｄ  斜面部
３  底板
３ａ  凹窩部
３ｂ  後壁部
３ｃ  前壁部
４  引き出しユニット
Ｐ  従来の容器
ＰU   上側容器
ＰL   下側容器
Ｐ１  天板
Ｐ２  膨出部
Ｐ３  底板
Ｐ４  凹窩部
Ｐ５  引き出しユニット
【図１】
0003205775.tif 000003
【図２】
0003205775.tif 000004
【図３】
0003205775.tif 000005
【図４】
0003205775.tif 000006
【図５】
0003205775.tif 000007
【図６】
0003205775.tif 000008
【図７】
0003205775.tif 000009
【図８】
0003205775.tif 000010